(57)【要約】【課題】簡単な構成で被加熱物を載せる面の高さを変更できる使い勝手のよい調理網を提供する。【解決手段】調理網９０は、略長方形状の網本体部９１と、網本体部９１の対向する辺の両側から下方に延びるように設けられた脚部９２,９３と、脚部９２,９３の網本体部９１よりも下側に設けられ、平面視において網本体部９１と一部が重なる重なり部９４,９５と、重なり部９４,９５に設けられた係止部９６とを備える。上記調理網９０を上下２段に重ねた状態で、上段側の重なり部９４,９５が下段側の網本体部９１に載ると共に、上段側の係止部９６が下段側の調理網９０に係合する。【選択図】図１１
2018087653.tif 000002
【特許請求の範囲】
【請求項１】
矩形状の網本体部と、
上記網本体部の対向する辺の両側から下方に延びるように設けられた脚部と、
上記脚部の上記網本体部よりも下側に設けられ、平面視において上記網本体部と少なくとも一部が重なる重なり部と、
上記重なり部に設けられた係止部と
を備えたことを特徴とする調理網。
【請求項２】
請求項１に記載の調理網において、
上記調理網を上下２段に重ねた状態で、上段側の上記重なり部が下段側の上記網本体部に載ると共に、上段側の上記係止部が下段側の上記調理網に係合するように構成されていることを特徴とする調理網。
【請求項３】
請求項１または２に記載の調理網において、
上記調理網を上下２段に重ねた状態で、上段側の上記係止部が下段側の上記網本体部に係合することによって、下段側の調理網に対して上段側の調理網の上記網本体部の平面に沿った移動を規制するように構成されていることを特徴とする調理網。
【請求項４】
請求項１から３までのいずれか１つに記載の調理網において、
上記脚部と上記重なり部および上記係止部は、１本の金属線で一体に形成されていることを特徴とする調理網。
【請求項５】
請求項１から４までのいずれか１つに記載の調理網において、
上記脚部は、平面視において上記網本体部よりも外側に配置されており、
上記調理網を上下２段に重ねた状態で、上段側の上記係止部と下段側の上記網本体部とが重なり合うように構成されていることを特徴とする調理網。
【請求項６】
請求項１から５までのいずれか１つに記載の調理網と、
上記調理網が載置可能な矩形状のトレイと
を備え、
上記トレイ内の２分割された分割領域に対して上記調理網を夫々載置可能である一方、上記トレイ内に上記調理網を上下２段に重ねた状態で載置可能であることを特徴とする加熱調理用セット。
【発明の詳細な説明】
【技術分野】
【０００１】
この発明は、調理網および加熱調理用セットに関する。
【背景技術】
【０００２】
従来、調理網としては、網部の被加熱物を載せる面の上方と下方に高さの異なる支持部を有する脚部を設けたものがある(例えば、特開２０１４−１４２０９７号公報(特許文献１)参照)。
【０００３】
上記調理網では、上下を反転させてトレイに載せることにより、被加熱物を載せる網部の面の高さを変更可能にしている。上記調理網は、被加熱物を載せる網部の面を通常よりも天面側の熱源に近づけることにより、調理時間を短縮したりより強い火力で加熱調理したりすることができる。
【先行技術文献】
【特許文献】
【０００４】
【特許文献１】特開２０１４−１４２０９７号公報
【発明の概要】
【発明が解決しようとする課題】
【０００５】
しかしながら、上記従来の調理網では、上下どちらに反転させてトレイに載せても、被加熱物を載せる網部の面よりも上方に支持部が延在するので、加熱庫への出し入れなどの使い勝手が悪いという問題がある。
【０００６】
そこで、この発明の課題は、簡単な構成で被加熱物を載せる面の高さを変更できる使い勝手のよい調理網およびその調理網を備えた加熱調理用セットを提供することにある。
【課題を解決するための手段】
【０００７】
上記課題を解決するため、この発明の調理網は、
矩形状の網本体部と、
上記網本体部の対向する辺の両側から下方に延びるように設けられた脚部と、
上記脚部の上記網本体部よりも下側に設けられ、平面視において上記網本体部と少なくとも一部が重なる重なり部と、
上記重なり部に設けられた係止部と
を備えたことを特徴とする。
【発明の効果】
【０００８】
以上より明らかなように、この発明によれば、調理網を上下２段に重ねた状態で、上段側の重なり部が下段側の網本体部に載って、上段側の重なり部に設けられた係止部を下段側の調理網に係合可能にすることによって、簡単な構成で被加熱物を載せる面の高さを変更できる使い勝手のよい調理網を実現することができる。
【図面の簡単な説明】
【０００９】
【図１】図１はこの発明の第１実施形態の調理網を備えた加熱調理器の扉閉鎖時の概略正面図である。
【図２】図２は上記加熱調理器の扉開放時の概略正面図である。
【図３】図３は上記加熱調理器に用いられるトレイの上面図である。
【図４】図４は上記加熱調理器に用いられる調理網を上方から見た斜視図である。
【図５】図５は上記調理網を下方から見た斜視図である。
【図６】図６は上記調理網を上側から見た上面図である。
【図７】図７は図６の調理網を左側から見た側面図である。
【図８】図８は図６の調理網を下側から見た側面図である。
【図９】図９は上記トレイに２つの調理網が載置された状態を示す平面図である。
【図１０】図１０は上記トレイに上下２段に重ねた２つの調理網が載置された状態を示す平面図である。
【図１１】図１１は上記調理網を上下２段に重ねた状態を上方から見た斜視図である。
【図１２】図１２は上記調理網を上下２段に重ねた状態を下方から見た斜視図である。
【発明を実施するための形態】
【００１０】
以下、この発明の調理網および加熱調理用セットを図示の実施の形態により詳細に説明する。なお、図面において、同一の参照番号は、同一部分または相当部分を表わすものである。また、長さ、幅、厚さ、深さ等の図面上の寸法は、図面の明瞭化と簡略化のために実際の尺度から適宜変更されており、実際の相対寸法を表してはいない。
【００１１】
〔第１実施形態〕
図１はこの発明の第１実施形態の調理網を備えた加熱調理器の扉閉鎖時の概略正面図を示し、図２は上記加熱調理器の扉開放時の概略正面図を示している。
【００１２】
この第１実施形態の加熱調理器は、図１,図２に示すように、直方体形状の本体ケーシング１と、この本体ケーシング１内に設けられ、前側に開口部２ａを有する加熱室２と、加熱室２の開口部２ａを開閉する扉３と、被加熱物１５が収容される加熱室２内にマイクロ波を供給するマグネトロン(図示せず)とを備えている。
【００１３】
上記本体ケーシング１の上面の後部に排気ダクト５を設けている。また、本体ケーシング１の前面の下部に露受容器６を着脱可能に取り付けている。この露受容器６は、扉３の下側に位置し、扉３の後面(加熱室２側の表面)や本体ケーシング１の前板６０からの水滴を受けることができるようになっている。また、本体ケーシング１の前面の下部には、後述する給水タンク２６も着脱可能に取り付けられている。
【００１４】
上記扉３は、本体ケーシング１の前面側に下側の辺を軸に回動可能に取り付けられている。この扉３の前面(加熱室２とは反対側の表面)には、耐熱性を有する透明な外ガラス７が設けられている。また、扉３は、外ガラス７の上側に位置するハンドル８と、外ガラス７の右側に設けられた操作パネル９とを有している。
【００１５】
上記操作パネル９は、カラー液晶表示部１０およびボタン群１１を有している。このボタン群１１は、途中で加熱を止めるときなどに押す取り消しキー１２と、加熱を開始するときに押すあたためスタートキー１３とを含んでいる。また、操作パネル９には、スマートフォンなどからの赤外線を受ける赤外線受光部１４が設けられている。
【００１６】
上記加熱室２内には被加熱物１５が収容される。また、加熱室２内への金属製のトレイ８０の出し入れが可能になっている。加熱室２の左側部２ｂ,右側部２ｃの内面には、上段側のトレイ８０を支持する上棚受け１６Ａ,１６Ｂが設けられている。また、加熱室２の右側部２ｃ,左側部２ｂの内面には、上棚受け１６Ａ,１６Ｂよりも下側に位置するように、下段側のトレイ８０を支持する下棚受け１７Ａ,１７Ｂが設けられている。
【００１７】
図３は上記加熱調理器に用いられるトレイ８０の上面図を示している。図３に示すように、トレイ８０は、長方形状の底部８０ａと、底部８０ａの外周を囲むように立設された周壁部８０ｂと、周壁部８０ｂの上端の全周から外側に延在するフランジ部８０ｃとを有する。トレイ８０のフランジ部８０ｃの周縁部は下側に折り曲げられている。
【００１８】
上記トレイ８０の底部８０ａの周壁部８０ｂに沿って、第１溝８１Ａ,８１Ｂと、第２溝８２,８２と、第３溝８３Ａ,８３Ａ,８３Ｂ,８３Ｂを設けている。第１溝８１Ａは、トレイ８０の底部８０ａの図中左側の短辺側およびその短辺の両側のコーナー部に設けられ、第１溝８１Ｂは、トレイ８０の底部８０ａの図中右側の短辺側およびその短辺の両側のコーナー部に設けられている。また、第２溝８２,８２は、トレイ８０の底部８０ａの対向する長辺の中央に夫々設けられている。
【００１９】
また、第３溝８３Ａ,８３Ａは、トレイ８０の底部８０ａの対向する長辺において、第２溝８２,８２よりも図中左側に間隔をあけて設けられている。さらに、第３溝８３Ｂ,８３Ｂは、トレイ８０の底部８０ａの対向する長辺において、第２溝８２,８２よりも図中右側に間隔をあけて設けられている。この第３溝８３Ａ,８３Ａ,８３Ｂ,８３Ｂの長さは、第２溝８２,８２の長さの略半分である。
【００２０】
第１溝８１Ａ,８１Ｂと第２溝８２,８２と第３溝８３Ａ,８３Ａ,８３Ｂ,８３Ｂで、調理網９０用の位置決め部を構成している。
【００２１】
図４は上記加熱調理器に用いられる調理網９０を上方から見た斜視図を示し、図５は調理網９０を下方から見た斜視図である。
【００２２】
図４,図５に示すように、調理網９０は、金属線からなる略長方形状の網本体部９１と、その網本体部９１の対向する短辺の一方の側に設けられた金属線からなる脚部９２,９３と、網本体部９１の対向する短辺の他方の側に設けられた金属線からなる脚部９２,９３とを有している。
【００２３】
網本体部９１は、短辺間に互いに平行にかつ間隔をあけて設けられた一対の縦枠９１ａ,９１ａと、縦枠９１ａ,９１ａの両端を夫々連結するように、互いに平行に設けられた一対の横枠９１ｂ,９１ｂと、横枠９１ｂ,９１ｂ間を連結するように、互いに平行にかつ間隔をあけて設けられた複数の縦桟９１ｃとを有する。この網本体部９１の縦枠９１ａ,９１ａは、脚部９２の後述する張り出し部９２ａ,９２ａに連なる。
【００２４】
脚部９２は、網本体部９１の短辺の一方の端から長手方向外側に延び、網本体部９１の短辺方向内側に略９０度屈曲するＬ字状の張り出し部９２ａと、張り出し部９２ａの夫々の先端から下方に延びて下端が網本体部９１の短辺に沿って内側にコの字形状に屈曲する屈曲部９２ｂとを有する。
【００２５】
また、網本体部９１の短辺において脚部９２に対向する脚部９３は、網本体部９１の短辺の他方の端から長手方向外側に延び、網本体部９１の短辺方向内側に略９０度屈曲するＬ字状の張り出し部９３ａと、張り出し部９３ａの夫々の先端から下方に延びて下端が網本体部９１の短辺に沿って内側にコの字形状に屈曲する屈曲部９３ｂとを有する。
【００２６】
また、網本体部９１の短辺において、脚部９２の屈曲部９２ｂと脚部９３の屈曲部９３ｂとの間に、一対の重なり部９４,９５を設けている。この重なり部９４は、脚部９２の屈曲部９２ｂから網本体部９１側に向かって延びて脚部９３側にＬ字形状に屈曲している。また、重なり部９５は、脚部９３の屈曲部９３ｂから網本体部９１側に向かって延びて脚部９２側にＬ字形状に屈曲している。
【００２７】
上記重なり部９４,９５間に、下方に向かってＵ字形状に湾曲する係止部９６を設けて、係止部９６を介して重なり部９４,９５を連結している。言い換えると、重なり部９４,９５に係止部９６が設けられている。
【００２８】
上記調理網９０では、脚部９２,９３と重なり部９４,９５および係止部９６を１本の金属線で一体に形成することによって、接続部がないので強度が向上すると共に、製造コストを低減できる。なお、上記第１実施形態では、網本体部９１の縦枠９１ａ,９１ａも、脚部９２,９３と重なり部９４,９５および係止部９６と共に１本の金属線で一体に形成されている。
【００２９】
図６は上記調理網９０の上側から見た上面図を示し、図７は図６の調理網９０を左側から見た側面図を示し、図８は図６の調理網９０を下側から見た側面図である。
【００３０】
図６,図７に示すように、重なり部９４,９５は、網本体部９１の対向する短辺両側において、脚部９２,９３の網本体部９１よりも下側に設けられている。重なり部９４,９５は、平面視において網本体部９１と一部が重なっている。
【００３１】
なお、重なり部は、矩形状の網本体部の対向する長辺側の脚部間に設けてもよい。また、重なり部は、平面視において網本体部と全部が重なるように設けられていてもよい。
【００３２】
また、図７に示すように、網本体部９１の平面に対して下方向に高さＨだけ下側に重なり部９４,９５を設けている。
【００３３】
図９は上記トレイ８０に２つの調理網が載置された状態を示す平面図である。この図９は第１の配置パターンを示している。なお、図９,図１０において、図３〜図７と同一の構成部に同一参照番号を付している。
【００３４】
２つの調理網９０,９０のうち、一方の調理網９０は、第１溝８１Ａの一部(トレイ８０のコーナー部側)と第２溝８２,８２の一部(第１溝８１Ａ側)に脚部９２,９３の下端(９２ｂ,９３ｂ)が嵌まって、トレイ８０に対して位置決めされている。また、他方の調理網９０は、第１溝８１Ｂの一部(トレイ８０のコーナー部側)と第２溝８２,８２の一部(第１溝８１Ｂ側)に脚部９２,９３の下端(９２ｂ,９３ｂ)が嵌まって、トレイ８０に対して位置決めされている。
【００３５】
このように、トレイ８０内の領域を２分割する分割領域に対して調理網９０,９０が載置されている。ここで、分割領域とは、図９に示すトレイ８０の長手方向に対して直交する平面でトレイ８０内の領域を二等分した領域である。
【００３６】
上記トレイ８０と２つの調理網９０で加熱調理用セットを構成している。この第１実施形態の加熱調理器は、２つのトレイ８０と２つの調理網９０を備えている。
【００３７】
また、長方形状のトレイ８０の短辺方向(図９の上下方向)が加熱室２(図２に示す)内の前後方向になるように、トレイ８０が加熱室２内に収容される。
【００３８】
なお、図９では、トレイ８０に２つの調理網９０,９０が載置された第１の配置パターンを示したが、図９において、２つの調理網９０,９０のうちの一方を外した配置パターンとしてもよい。
【００３９】
また、図１０はトレイ８０の中央部に上下２段に重ねた２つの調理網９０が載置された状態を示す上面図である。なお、図１０において、図３〜図７と同一の構成部に同一参照番号を付している。
【００４０】
図１０において、調理網９０は、第３溝８３Ａ,８３Ａ,８３Ｂ,８３Ｂに脚部９２,９３の下端(９２ｂ,９３ｂ)が位置決めされている。この図１０では、２つの調理網９０,９０を上下２段に重ねた第２の配置パターンとなる。
【００４１】
このように、上記第１実施形態の調理網９０では、配置パターンに応じた様々な加熱調理に利用することができる。また、従来の１つのトレイに１つの大きな調理網を載置するものに比べて、調理網９０のサイズが小さくなって取り扱いが容易になる。したがって、加熱調理の自由度が広がると共に利便性を向上できる。
【００４２】
また、図１１は２つの調理網９０を上下２段に重ねた状態を上方から見た斜視図を示し、図１２は２つの調理網９０を上下２段に重ねた状態を下方から見た斜視図示している。
【００４３】
上記構成の調理網９０では、網本体部９１の対向する短辺の両側の脚部９２,９３の網本体部９１よりも下側に、平面視において網本体部９１と一部が重なる重なり部９４,９５が設けられている。図１１,図１２に示すように、調理網９０を上下２段に重ねた状態で、上段側の調理網９０の重なり部９４,９５が下段側の網本体部９１に載っている。そして、上段側の調理網９０の各短辺側の重なり部９４,９５に設けられた２つの係止部９６を、下段側の調理網９０に係合可能にすることによって、上下２段に調理網９０を重ねたときの被加熱物を載せる面の高さを１段の調理網９０に比べて高さＨだけ高くすることができる。したがって、簡単な構成で被加熱物を載せる面の高さを変更できる使い勝手のよい調理網９０を提供することができる。
【００４４】
また、上記調理網９０を上下２段に重ねた状態で、上段側の重なり部９４,９５が下段側の網本体部９１に載ると共に、上段側の調理網９０の係止部９６が下段側の調理網９０に係合するように構成することによって、上段側の調理網９０を下段側の調理網９０に係合した状態で確実に支えることができる。
【００４５】
また、上記調理網９０を上下２段に重ねた状態で、上段側の係止部９６が下段側の網本体部９１に係合して、下段側の調理網９０に対して上段側の調理網９０の網本体部９１の平面に沿った移動を規制する。
【００４６】
したがって、上段側の調理網９０を下段側の調理網９０に係合した状態で横方向に動かないように、下段側の調理網９０で支えることができる。図１１では、網本体部９１の長辺方向が加熱調理器の前後方向であり、網本体部９１の短辺方向が加熱調理器の左右方向である。ここで、上段側の調理網９０の２つの係止部９６が、下段側の調理網９０の網本体部９１において横枠９１ｂ,９１ｂと縦桟９１ｃ,９１ｃで囲まれた領域に係合し、上段側の調理網９０は、横枠９１ｂ,９１ｂによって前後方向の動きが規制されると共に、縦桟９１ｃ,９１ｃによって左右方向の動きが規制される。
【００４７】
また、上記調理網９０では、平面視において網本体部９１よりも外側に配置された脚部９２,９３に重なり部９４,９５が設けられており、調理網９０を上下２段に重ねた状態で、上段側の重なり部９４,９５に設けられた係止部９６と下段側の網本体部９１とが重なり合うことで、上段側の係止部９６が下段側の網本体部９１に容易に係合するようにできる。
【００４８】
また、上記構成の加熱調理用セットでは、トレイ８０内の２分割された分割領域に対して２つの調理網９０を並んで載置する第１の配置パターンとしたり、２つの調理網９０を上下２段に重ねた状態でトレイ８０内の中央部に載置する第２の配置パターンとしたりすることによって、調理網９０の配置パターンに応じた様々な加熱調理に対応することができ、加熱調理の自由度が広がる。さらに、２つの調理網９０を上下２段に重ねた状態でトレイ８０内に載置することによって、被加熱物を載せる面の高さを容易に変更できる。
【００４９】
上記加熱調理用セットでは、同一形状の調理網９０を組み合わせて加熱調理を行うことが可能になり、高さの異なる調理網を別に用意する必要がなく、加熱調理器の付属品の構成を簡略化でき、コストを低減できると共に、調理網の取り扱いが容易になって利便性が大幅に向上する。
【００５０】
〔第２実施形態〕
上記第１実施形態の調理網９０では、脚部９２,９３の網本体部９１よりも下側に重なり部９４,９５を設けたが、この発明の第２実施形態の調理網は、脚部以外の網本体部から延在するように設けられた重なり部を有する。
【００５１】
この第２実施形態の調理網は、上下２段に調理網を重ねたときの被加熱物を載せる面の高さを１段の調理網に比べて容易に高くできる。したがって、簡単な構成で被加熱物を載せる面の高さを変更できる使い勝手のよい調理網を提供することができる。
【００５２】
〔第３実施形態〕
この発明の第３実施形態の調理網は、金属板を折り曲げ加工した構成をしている。
【００５３】
この第３実施形態の調理網は、複数の開口部を有する金属板からなる略長方形状の網本体部と、その網本体部の対向する短辺の一方の側に下方に折り曲げ加工された金属板からなる脚部と、網本体部の対向する短辺の他方の側に下方に折り曲げ加工された金属板からなる脚部とを有している。
【００５４】
また、上記調理網は、脚部の網本体部よりも下側に設けられ、平面視において網本体部と一部が重なる重なり部と、その重なり部に設けられた係止部とを有する。
【００５５】
上記調理網を上下２段に重ねた状態で、上段側の重なり部が下段側の網本体部に載ると共に、上段側の係止部が下段側の調理網に係合するように構成されている。
【００５６】
上記第３実施形態の調理網は、第１実施形態の調理網と同様の効果を有する。
【００５７】
このように、この発明の調理網は、第１実施形態のように金属線で構成されていてもよいし、第３実施形態のように金属板で構成されていてもよく、金属線と金属板を組み合わせて構成してもよい。
【００５８】
上記第１〜第３実施形態では、略長方形状の網本体部９１を有する調理網９０について説明したが、略正方形状を含む矩形状の網本体部を有する調理網にこの発明を適用できる。
【００５９】
また、上記第１〜第３実施形態では、金属線からなる網本体部９１を有する調理網９０について説明したが、金属線以外の部材からなる網本体部を有する調理網にこの発明を適用してもよい。
【００６０】
この発明の具体的な実施の形態について説明したが、この発明は上記第１〜第３実施形態に限定されるものではなく、この発明の範囲内で種々変更して実施することができる。例えば、上記第１〜第３実施形態で記載した内容を適宜組み合わせたものを、この発明の一実施形態としてもよい。
【００６１】
この発明および実施形態をまとめると、次のようになる。
【００６２】
この発明の調理網９０は、
矩形状の網本体部９１と、
上記網本体部９１の対向する辺の両側から下方に延びるように設けられた脚部９２,９３と、
上記脚部９２,９３の上記網本体部９１よりも下側に設けられ、平面視において上記網本体部９１と少なくとも一部が重なる重なり部９４,９５と、
上記重なり部９４,９５に設けられた係止部９６と
を備えたことを特徴とする。
【００６３】
上記構成によれば、網本体部９１の対向する辺の両側の上記脚部９２,９３の網本体部９１よりも下側に、平面視において上記網本体部９１と少なくとも一部が重なる重なり部９４,９５が設けられているので、この調理網９０を上下２段に重ねた状態で、上段側の重なり部９４,９５が下段側の網本体部９１に載る。そして、上段側の調理網９０の重なり部９４,９５に設けられた係止部９６を、下段側の調理網９０に係合可能にすることによって、上下２段に調理網９０を重ねたときの被加熱物を載せる面の高さを１段の調理網９０に比べて容易に高くできる。したがって、簡単な構成で被加熱物を載せる面の高さを変更できる使い勝手のよい調理網９０を提供できる。
【００６４】
また、一実施形態の調理網９０では、
上記調理網９０を上下２段に重ねた状態で、上段側の上記重なり部９４,９５が下段側の上記網本体部９１に載ると共に、上段側の上記係止部９６が下段側の上記調理網９０に係合するように構成されている。
【００６５】
上記実施形態によれば、調理網９０を上下２段に重ねた状態で、上段側の重なり部９４,９５が下段側の網本体部９１に載ると共に、上段側の係止部９６が下段側の調理網９０に係合するように構成することによって、上段側の調理網９０を下段側の調理網９０に係合した状態で確実に支えることができる。
【００６６】
また、一実施形態の調理網９０では、
上記調理網９０を上下２段に重ねた状態で、上段側の上記係止部９６が下段側の上記網本体部９１に係合することによって、下段側の調理網９０に対して上段側の調理網９０の上記網本体部９１の平面に沿った移動を規制するように構成されている。
【００６７】
上記実施形態によれば、調理網９０を上下２段に重ねた状態で、上段側の係止部９６が下段側の網本体部９１に係合して、下段側の調理網９０に対して上段側の調理網９０の網本体部９１の平面に沿った移動を規制するので、上段側の調理網９０を下段側の調理網９０に係合した状態で横方向に動かないように、下段側の調理網９０で支えることができる。
【００６８】
また、一実施形態の調理網９０では、
上記脚部９２,９３と上記重なり部９４,９５および上記係止部９６は、１本の金属線で一体に形成されている。
【００６９】
上記実施形態によれば、脚部９２,９３と重なり部９４,９５および係止部９６を１本の金属線で一体に形成することによって、接続部がないので強度が向上すると共に、製造コストを低減できる。
【００７０】
また、一実施形態の調理網９０では、
上記脚部９２,９３は、平面視において上記網本体部９１よりも外側に配置されており、
上記調理網９０を上下２段に重ねた状態で、上段側の上記係止部９６と下段側の上記網本体部９１とが重なり合うように構成されている。
【００７１】
上記実施形態によれば、平面視において網本体部９１よりも外側に配置された脚部９２,９３に重なり部９４,９５が設けられており、調理網９０を上下２段に重ねた状態で、上段側の重なり部９４,９５に設けられた係止部９６と下段側の調理網９０の網本体部９１とが重なり合うことで、上段側の係止部９６が下段側の網本体部９１に容易に係合するようにできる。
【００７２】
また、この発明の加熱調理用セットは、
上記のいずれか１つの調理網９０と、
上記調理網９０が載置可能な矩形状のトレイ８０と
を備え、
上記トレイ８０内の２分割された分割領域に対して上記調理網９０を夫々載置可能である一方、上記トレイ８０内に上記調理網９０を上下２段に重ねた状態で載置可能であることを特徴とする。
【００７３】
上記構成によれば、２つの調理網９０をトレイ８０内に並べて載置する第１の配置パターンとしたり、２つの調理網９０を上下２段に重ねた状態でトレイ８０内の例えば中央部に載置する第２の配置パターンとしたりすることによって、調理網９０の配置パターンに応じた様々な加熱調理に対応することができ、加熱調理の自由度が広がる。さらに、２つの調理網９０を上下２段に重ねた状態でトレイ８０内に載置することによって、被加熱物を載せる面の高さを容易に変更できる。
【符号の説明】
【００７４】
１…本体ケーシング
２…加熱室
２ａ…開口部
２ｂ…左側部
２ｃ…右側部
３…扉
５…排気ダクト
６…露受容器
６０…前板
７…外ガラス
８…ハンドル
９…操作パネル
１０…カラー液晶表示部
１１…ボタン群
１２…取り消しキー
１３…スタートキー
１４…赤外線受光部
１５…被加熱物
１６Ａ,１６Ｂ…上棚受け
１７Ａ,１７Ｂ…下棚受け
２６…給水タンク
８０…トレイ
８０ａ…底部
８０ｂ…周壁部
８０ｃ…フランジ部
８１Ａ,８１Ｂ…第１溝
８２,８２…第２溝
８３Ａ,８３Ａ,８３Ｂ,８３Ｂ…第３溝
９０…調理網
９１…網本体部
９１ａ,９１ａ…縦枠
９１ｂ,９１ｂ…横枠
９１ｃ…縦桟
９２,９３…脚部
９２ａ,９２ａ…張り出し部
９２ｂ,９２ｂ…屈曲部
９４,９５…重なり部
９６…係止部
【図１】
2018087653.tif 000003
【図２】
2018087653.tif 000004
【図３】
2018087653.tif 000005
【図４】
2018087653.tif 000006
【図５】
2018087653.tif 000007
【図６】
2018087653.tif 000008
【図７】
2018087653.tif 000009
【図８】
2018087653.tif 000010
【図９】
2018087653.tif 000011
【図１０】
2018087653.tif 000012
【図１１】
2018087653.tif 000013
【図１２】
2018087653.tif 000014